(57)【要約】【課題】本発明は稲藁ロールベール等のロールベールを簡単かつ容易に均一な乾燥状態にする軽量かつ組み立ての容易なロールベール乾燥装置及びロールベール乾燥方法を提供する。【解決手段】ロールベール乾燥装置１は、稲藁、麦藁、牧草等をロール状に圧搾成形したロールベールの軸方向一方側端部を開放端部として開放した状態で、少なくとも当該ロールベールの周側面全体を、通気性が少なく所定の可とう性を有する乾燥シート５で被覆し、ロールベールの開放端部と反対側の端部を当該端部側に通気口２１の形成されている吸引フード３で閉止して閉止端部とし、当該吸引フード３の通気口２１に接続ホース７で吸気ポンプ６を接続して吸引し、乾燥シート５と吸引フード３で開放端部のみが開放された状態で被覆されているロールベールの軸方向に通気して、ロールベールを乾燥させる。【選択図】          図２
2004169993.tif 000002
【特許請求の範囲】
【請求項１】
稲藁、麦藁、牧草等をロール状に圧搾して成形したロールベールを所定水分量まで乾燥させるロールベール乾燥装置であって、前記ロールベールの軸方向一方側端部を開放端部として開放した状態で、少なくとも当該ロールベールの周側面全体を、通気性が少なく所定の可とう性を有するシート状の乾燥シートで被覆し、当該ロールベールの開放端部と反対側の端部を当該端部側に通気口の形成されている当該乾燥シートまたは当該乾燥シートと非通気状態で密着され通気口の形成されているフード部材で閉止して閉止端部とし、当該閉止端部側の乾燥シートまたはフード部材に形成されている当該通気口に吸気手段または送気手段を接続して、吸引または送気し、前記乾燥シートまたは前記乾燥シートと前記フード部材で開放端部のみが開放された状態で被覆されている前記ロールベールの軸方向に通気して、当該ロールベールを乾燥させることを特徴とするロールベール乾燥装置。
【請求項２】
稲藁、麦藁、牧草等をロール状に圧搾して成形したロールベールを所定水分量まで乾燥させるロールベール乾燥装置であって、漏斗形状を上下反転させたキャップ形状を有し当該キャップ形状の頂点部分に通気口が形成されるとともに、その下端部の円形部分の外周面に所定の接着部材が取り付けられ、前記ロールベールの一方側端部を閉止して閉止端部とするフード部材と、シート形状に形成されているとともに、前記ロールベールの周側面を被覆する状態でそのフード部材側端部が当該フード部材に巻き付けられ、当該フード部材の下端部外周面に巻き付けられた状態でその両端部が所定量重なり合う長さと、前記ロールベールの軸方向長さ以上の長さの幅と、を有する乾燥シートと、を備え、当該乾燥シートは、当該巻き付けられた状態で前記フード部材側に位置する端面部分に接着部材が取り付けられていて当該接着部材と前記フード部材の接着部材とが着脱可能に非通気状態で接着され、当該巻き付けられた状態で前記周方向の前記重なり合う両端部が当該両端部の重なり合う面部分に取り付けられている接着部材で、着脱可能に非通気状態で接着されて、前記ロールベールの前記閉止端部と周側面全面を当該フード部材と当該乾燥シートで被覆するとともに、当該フード部材と反対側を開放端部とし、前記フード部材の前記通気口に吸気手段または送気手段を接続して、吸引または送気し、前記乾燥シートと前記フード部材で前記開放端部のみが開放された状態で被覆されている前記ロールベールの軸方向に通気して、当該ロールベールを乾燥させることを特徴とするロールベール乾燥装置。
【請求項３】
稲藁、麦藁、牧草等をロール状に圧搾して成形したロールベールを所定水分量まで乾燥させるロールベール乾燥装置であって、漏斗形状を上下反転させたキャップ形状を有し当該キャップ形状の頂点部分に通気口が形成され、前記ロールベールの一方側端部を閉止して閉止端部とするフード部材と、当該フード部材にその一端部が非通気状態で接着固定されその他端部が少なくとも前記ロールベールの他方側端部まで延在して当該ロールベールの外周面を被覆する筒状の乾燥シートと、を備え、当該乾燥シートが、前記フード部材と反対側の端部から所定長さにわたって切り込みが形成されているとともに、当該切り込み部の両端面に当該両端面を着脱可能に接着する接着部材が設けられており、当該接着部材同士を非通気状態で接着して前記ロールベールの外周面を被覆するとともに、前記フード部材と反対側を開放端部とし、当該フード部材の前記通気口に吸気手段または送気手段を接続して、吸引または送気し、前記乾燥シートまたは前記乾燥シートと前記フード部材で開放端部のみが開放された状態で被覆されている前記ロールベールの軸方向に通気して、当該ロールベールを乾燥させることを特徴とするロールベール乾燥装置。
【請求項４】
稲藁、麦藁、牧草等をロール状に圧搾して成形したロールベールを所定水分量まで乾燥させるロールベール乾燥装置であって、前記ロールベールの軸方向一方側端部を開放端部として開放した状態で、当該ロールベールの軸方向他方側端部を当該他方側端部との間に隙間形成部材で形成される所定量の隙間を有した状態で閉止して閉止端部とするとともに、当該ロールベールの周側面全体を、通気性が少なく所定の可とう性を有する円筒形状の乾燥シートで被覆し、当該乾燥シートが、当該閉止端部側に通気口を有し、当該通気口に吸気手段または送気手段を接続して、吸引または送気し、前記乾燥シートで開放端部のみが開放された状態で被覆されている前記ロールベールの軸方向に通気して、当該ロールベールを乾燥させることを特徴とするロールベール乾燥装置。
【請求項５】
前記ロールベール乾燥装置は、少なくとも前記ロールベールの載置される載置部に複数の通気穴の形成された台座を有し、前記ロールベールを当該台座の載置部上に当該ロールベールの軸方向が鉛直方向となる状態で載置し、前記通気状態で、当該台座の通気口から当該ロールベールに外気を導入または当該ロールベールを通過した空気を排出することを特徴とする請求項１から請求項４のいずれかに記載のロールベール乾燥装置。
【請求項６】
前記ロールベール乾燥装置は、前記フード部材を保持し、前記ロールベールの上部位置と当該上部位置から待避した待避位置とに当該フード部材を移動させるフード部材保持機構を備えていることを特徴とする請求項１、請求項２、請求項３または請求項５のいずれかに記載のロールベール乾燥装置。
【請求項７】
前記ロールベール乾燥装置は、前記乾燥シートを前記ロールベールの外周面に対して周方向に締め付ける締結部材を備え、当該締結部材で前記乾燥シートを締め付けた状態で、前記乾燥シートまたは前記乾燥シートと前記フード部材で被覆されている前記ロールベールの軸方向に前記通気口から送気し、当該ロールベールを乾燥させることを特徴とする請求項１から請求項６のいずれかに記載のロールベール乾燥装置。
【請求項８】
前記ロールベール乾燥装置は、前記乾燥シートまたは前記乾燥シートと前記フード部材で開放端部のみが開放された状態で被覆されている前記ロールベールを複数個配置し、当該乾燥シートまたは当該フード部材に形成されている前記通気口に１台の前記吸気手段または１台の前記送気手段に接続された接続ホースから分岐された分岐ホースを接続し、複数のロールベールに同時に通気して乾燥させることを特徴とする請求項１から請求項７のいずれかに記載のロールベール乾燥装置。
【請求項９】
前記ロールベール乾燥装置は、前記ロールベールがその軸方向が水平方向となる状態で配置され、当該ロールベールを前記乾燥シートまたは前記乾燥シートと前記フード部材で開放端部のみが開放された状態で被覆して、前記乾燥シートまたは前記フード部材の前記通気口から当該ロールベールの軸方向に通気し、当該ロールベールを乾燥させることを特徴とする請求項１から請求項４、請求項７または請求項８のいずれかに記載のロールベール乾燥装置。
【請求項１０】
前記ロールベール乾燥装置は、複数の前記ロールベールがその軸方向が水平方向となる状態でかつ当該軸方向が連続して繋がるロールベール群として配置され、当該ロールベール群を当該ロールベール群の軸方向長さ以上の幅を有する前記乾燥シートまたは当該乾燥シートと前記フード部材で、当該ロールベール群の軸方向一方側端部を閉止端部として閉止し、他方側端部を開放端部として、当該開放端部のみが開放された状態で当該ロールベール群を被覆して、当該乾燥シートまたは当該フード部材の前記通気口から当該ロールベール群の軸方向に通気し、当該ロールベール群の複数のロールベールを一括して乾燥させることを特徴とする請求項１から請求項４、請求項７または請求項８のいずれかに記載のロールベール乾燥装置。
【発明の詳細な説明】
【０００１】
【発明の属する技術分野】
本発明は、ロールベール乾燥装置に関し、詳細には、稲藁ロールベール、麦藁ロールベール、牧草ロールベール等の農作業機で圧搾成形されるロール状のロールベールを簡単かつ容易に均一な乾燥状態にするロールベール乾燥装置に関する。
【０００２】
【従来の技術】
【特許文献１】
特開２００２−２２３６２０号公報
【特許文献２】
特開平６−１４１６６５号公報
【特許文献３】
特開平５−１５７４５０号公報
近時、食の安全が強く要望されるようになってきており、農産物自体の安全性はもとより、農産物の生産に関連する資材関連の全てに安全性が求められるようになってきている。
【０００３】
特に、畜産関連においては、口蹄疫、狂牛病（ＢＳＥ）等の問題の発生に伴って、稲藁ロールベール、麦藁ロールベール、牧草ロールベールの安全性も要望されるようになり、いわゆる感染地域からの輸入ができなくなっている。
【０００４】
特に、稲藁ロールベールは、畜産関連では、畜舎の敷料として、家畜の糞尿を吸収する資材として利用されるものであり、感染地域からの輸入ができないことから、国内資料を利用した安価な稲藁ロールベールが要望されてきている。
【０００５】
ところが、稲藁ロールベールを畜産関連用の畜舎の敷料として使用するには、その水分量が問題となる。
【０００６】
すなわち、畜舎の敷料として使用するには、流通上及び保管上の問題として、その水分量が、１５％〜１７％の範囲まで低下させることが要望されるが、稲藁は、通常、２５％〜２６％程度、あるいは、それ以上の水分量を保有している。すなわち、米が水田という湿った土地での生産体系で収穫され、稲の収穫時には、稲藁は、籾が収穫された後もほ場（田んぼ）に放置されるため、籾の収穫水分と同等の２５％〜２６％程度かそれ以上の水分を保有しているが、条件が悪いときには、３０％以上の水分量を保有している。
【０００７】
このような、水分を含んだ稲藁を畜産用等の資源として利用するためには、水分２０％以上の原料の場合、植物体の生理的な活性が保存されて、枯れきった状態となっていないため、呼吸による発熱が生じ、カビの発生や腐敗の発生の好適な条件が整った状態となる。そのため、これらのカビの発生や腐敗の発生を防止するためには、稲藁を１５％近傍まで乾燥させる必要がある。
【０００８】
そこで、従来においては、稲が、その収穫時に、コンバインで刈り取られて、籾を乾燥のために保管施設または乾燥器へと搬出されるが、稲藁は、ほ場（田んぼの中）にそのままある程度の量がまとめられて、天日乾燥によって乾燥され、好天が続くと、機械的に反転・撹拌されて、さらに天日乾燥が行われて、最終的に、特許文献１及び特許文献２記載に記載されているようなロールベールを作る機械で、圧搾、成形、梱包されて、稲藁ロールベールとして、資源となる。
【０００９】
この稲藁ロールベールは、一般的には、その直径が、１．１ｍで、高さが、１．１ｍ〜１．２ｍのロール形状（円柱形状）に成形され、その重量が２００ｋｇ程度である。
【００１０】
このような稲藁ロールベールは、飼料的な用途の他に、上述のように、家畜用の畜舎の敷料として利用することができる。
【００１１】
なお、このロールベールの作成技術は、本来、牧草のロールベールを作成するために用いられたもので、塔型の大型サイロを建設して、牧草を保管発酵させるには、建設費が高く、経費が高くつくため、密閉容器の中でサイレージ（発酵飼料）を作る代わりに、牧草を刈り取った後、ほ場で天日乾燥させて、水分量が減った頃、ロールベールを作る機械（ロールベーラー）で、牧草を円筒状に固めていた技術である。そして、牧草の場合には、このロールベールをビニールシートでぐるぐる巻きにして、外気を遮断して、密閉状態にして保存している（特許文献１、特許文献２参照）。
【００１２】
【発明が解決しようとする課題】
しかしながら、このような従来の稲藁ロールベール等のロールベール乾燥方法にあっては、天日乾燥が基本であるため、資源として利用するには、生産性が悪く、安価にかつ効率的にロールベールを乾燥させる技術が要望されている。
【００１３】
すなわち、従来のロールベール乾燥方法は、天日乾燥が基本であるため、天候任せであり、湿気の多い環境下であったり、乾燥途中で、雨に降られて水に濡れると、資源（製品）としては、利用価値が低下し、生産上の障害が多すぎて、生産性が悪いという問題がある。
【００１４】
また、ロールベールを乾燥させるのに、大型の乾燥施設を建設して、乾燥することもできるが、建設費や維持費が高額となるという問題があった。
【００１５】
そのため、稲藁については、従来、日本では、ロールベールを作成することなく、そのごく一部が、工芸品や建築資材の一部として利用されるのみであって、そのほとんどが、ほ場で、燃やされてしまうのが現状であった。
【００１６】
そして、稲藁ロールベール、麦藁ロールベール、牧草ロールベールは、上述のような用途だけでなく、種々の用途があり、安価にロールベールを作成することができれば、農家経済に資する点も多大なものがある。
【００１７】
この場合、本出願人が先に提案している乾燥設備（特許文献３参照）を利用してロールベールを乾燥させることもできるが、この乾燥設備は、一列または複数列に並べかつ多段上に積み重ねたメッシュコンテナを、その列方向に袋状に多い両側を開口した簡易乾燥室を構成する耐熱シートと、簡易乾燥室の一側開口部に着脱自在に接続する熱発生装置または除湿装置と、他側開口部に着脱自在に接続する排気装置とから構成されている。
【００１８】
したがって、メッシュコンテナ内の収納物を簡単にかつ効率的に乾燥させることができるが、メッシュコンテナを用いているため、直径が１．１ｍで、高さが１．１〜１．２ｍもあるロールベールの乾燥に利用するには、装置が大がかりで、重量がかさみ、大きな設置スペースを必要とするとともに、価格も高価なものとなるおそれがあった。
【００１９】
特に、ロールベール自体の重さは、２００ｋｇ程度の重量物であり、このような重量物の乾燥にメッシュコンテナ方式の乾燥装置を適用すると、乾燥装置自体やロールベールを収納する容器としてのメッシュコンテナ等の重量が重く大型となるため、乾燥装置を固定設置された装置とする必要があるが、乾燥のためにだけ、常に、重量物であるロールベールを当該固定設置された乾燥装置の設置位置まで運搬するのは、大変な労力を必要とし、特に、乾燥するロールベールの数が多くなると、運搬する作業が困難となる。
【００２０】
そこでは、小型・省スペースで、運搬が容易であるとともに、ロールベールの用途から考慮して、安価にかつ効率的にロールベールを乾燥させる技術が要望されている。
【００２１】
そこで、請求項１記載の発明は、稲藁、麦藁、牧草等をロール状に圧搾して成形したロールベールの軸方向一方側端部を開放端部として開放した状態で、少なくとも当該ロールベールの周側面全体を、通気性が少なく所定の可とう性を有するシート状の乾燥シートで被覆し、当該ロールベールの開放端部と反対側の端部を当該端部側に通気口の形成されている当該乾燥シートまたは当該乾燥シートと非通気状態で密着され通気口の形成されているフード部材で閉止して閉止端部とし、当該閉止端部側の乾燥シートまたはフード部材に形成されている当該通気口に吸気手段または送気手段を接続して、吸引または送気し、乾燥シートまたは乾燥シートとフード部材で開放端部のみが開放された状態で被覆されているロールベールの軸方向に通気して、当該ロールベールを乾燥させることにより、小型・省スペースで、軽量かつ運搬が容易なものとするとともに、ロールベールの軸方向に均一に通気して、ロールベールを均一に乾燥させることのできる安価なロールベール乾燥装置を提供することを目的としている。
【００２２】
請求項２記載の発明は、稲藁、麦藁、牧草等をロール状に圧搾して成形したロールベールの一方側端部を、漏斗形状を上下反転させたキャップ形状を有し当該キャップ形状の頂点部分に通気口が形成されるとともに、その下端部の円形部分の外周面に所定の接着部材が取り付けられたフード部材で閉止して閉止端部とし、当該フード部材の下端部外周面に巻き付けられた状態でその両端部が所定量重なり合う長さと、前記ロールベールの軸方向長さ以上の長さの幅と、を有するシート形状の乾燥シートを、ロールベールの周側面を被覆する状態でそのフード部材側端部を当該フード部材に巻き付け、当該巻き付けられた状態でフード部材側に位置する端面部分に取り付けられている接着部材とフード部材の接着部材とを着脱可能に非通気状態で接着し、当該巻き付けられた状態で周方向の重なり合う両端部を当該両端部の重なり合う面部分に取り付けられている接着部材で、着脱可能に非通気状態で接着して、ロールベールの閉止端部と周側面全面を当該フード部材と当該乾燥シートで被覆するとともに、当該フード部材と反対側を開放端部とし、フード部材の通気口に吸気手段または送気手段を接続して、吸引または送気し、乾燥シートとフード部材で開放端部のみが開放された状態で被覆されているロールベールの軸方向に通気して、当該ロールベールを乾燥させることにより、小型・省スペースで、軽量かつ運搬が容易なものとするとともに、ロールベールの軸方向により一層均一に通気して、ロールベールをより一層均一に乾燥させることのできる安価なロールベール乾燥装置を提供することを目的としている。
【００２３】
請求項３記載の発明は、稲藁、麦藁、牧草等をロール状に圧搾して成形したロールベールの一方側端部を、漏斗形状を上下反転させたキャップ形状を有し当該キャップ形状の頂点部分に通気口の形成されているフード部材で閉止して閉止端部とし、当該フード部材に筒状の乾燥シートの一端部を非通気状態で接着固定するとともに、当該乾燥シートの他端部を少なくともロールベールの他方側端部まで延在させ、かつ、当該乾燥シートに、フード部材と反対側の端部から所定長さにわたって切り込みを形成するとともに、当該切り込み部の両端面に当該両端面を着脱可能に接着する接着部材を設け、当該接着部材同士を非通気状態で接着してロールベールの外周面を被覆して、フード部材と反対側を開放端部とし、当該フード部材の通気口に吸気手段または送気手段を接続して、吸引または送気し、乾燥シートまたは乾燥シートとフード部材で開放端部のみが開放された状態で被覆されているロールベールの軸方向に通気して、当該ロールベールを乾燥させることにより、フード部材と乾燥シートのロールベールへの装着作業を簡単容易なものとし、かつ、小型・省スペースで、軽量かつ運搬が容易なものとするとともに、ロールベールの軸方向に均一に通気して、ロールベールを均一に乾燥させることのできる安価なロールベール乾燥装置を提供することを目的としている。
【００２４】
請求項４記載の発明は、稲藁、麦藁、牧草等をロール状に圧搾して成形したロールベールの軸方向一方側端部を開放端部として開放した状態で、当該ロールベールの軸方向他方側端部を当該他方側端部との間に隙間形成部材で形成される所定量の隙間を有した状態で閉止して閉止端部とするとともに、当該ロールベールの周側面全体を、通気性が少なく所定の可とう性を有する円筒形状の乾燥シートで被覆し、当該乾燥シートの閉止端部側に形成されている通気口に吸気手段または送気手段を接続して、吸引または送気し、乾燥シートで開放端部のみが開放された状態で被覆されているロールベールの軸方向に通気して、当該ロールベールを乾燥させることにより、より一層小型・省スペースで、より一層軽量かつ運搬が容易なものとするとともに、ロールベールの軸方向により一層均一に通気して、ロールベールをより一層均一に乾燥させることのできるより一層安価なロールベール乾燥装置を提供することを目的としている。
【００２５】
請求項５記載の発明は、少なくともロールベールの載置される載置部に複数の通気穴の形成された台座を設け、ロールベールを当該台座の載置部上に当該ロールベールの軸方向が鉛直方向となる状態で載置し、通気状態で、当該台座の通気口から当該ロールベールに外気を導入または当該ロールベールを通過した空気を当該台座を通して排出することにより、ロールベールに効率的にかつ容易に通気し、ロールベールをより一層均一に乾燥させることのできる安価なロールベール乾燥装置を提供することを目的としている。
【００２６】
請求項６記載の発明は、フード部材を保持して、ロールベールの上部位置と当該上部位置から待避した待避位置とに当該フード部材を移動させるフード部材保持機構を設けることにより、ロールベールへのフード部材及び乾燥シートの装着をより一層簡単かつ容易に行い、より一層効率的にかつ容易にロールベールを乾燥させることのできる安価なロールベール乾燥装置を提供することを目的としている。
【００２７】
請求項７記載の発明は、締結部材で、乾燥シートをロールベールの外周面の周方向に締め付けて乾燥シートを当該ロールベールに締結させ、乾燥シートまたは乾燥シートとフード部材で被覆されているロールベールの軸方向に通気口から送気し、当該ロールベールを乾燥させることにより、通気口から乾燥シートで被覆されているロールベールに送気して乾燥させる場合にも、乾燥シートとロールベールを密着させて、ロールベールの軸方向に均一に通気し、ロールベールを均一に乾燥させることのできるより安価なロールベール乾燥装置を提供することを目的としている。
【００２８】
請求項８記載の発明は、乾燥シートまたは乾燥シートとフード部材で開放端部のみが開放された状態で被覆されているロールベールを複数個配置し、当該乾燥シートまたは当該フード部材に形成されている通気口に１台の吸気手段または１台の送気手段に接続された接続ホースから分岐された分岐ホースを接続し、複数のロールベールに同時に通気して乾燥させることにより、複数のロールベールを一括して乾燥させ、ロールベールをより一層効率的に乾燥させることのできる安価なロールベール乾燥装置を提供することを目的としている。
【００２９】
請求項９記載の発明は、ロールベールをその軸方向が水平方向となる状態で配置し、当該ロールベールを乾燥シートまたは乾燥シートとフード部材で開放端部のみが開放された状態で被覆して、乾燥シートまたはフード部材の通気口から当該ロールベールの軸方向に通気し、当該ロールベールを乾燥させることにより、ロールベールを寝かせた状態で乾燥させて、小型・省スペースで、軽量かつ運搬が容易なものとするとともに、ロールベールの軸方向に均一に通気して、ロールベールを均一に乾燥させることのできる安価なロールベール乾燥装置を提供することを目的としている。
【００３０】
請求項１０記載の発明は、複数のロールベールがその軸方向が水平方向となる状態でかつ当該軸方向が連続して繋がるロールベール群として配置し、当該ロールベール群を当該ロールベール群の軸方向長さ以上の幅を有する乾燥シートまたは当該乾燥シートとフード部材で、当該ロールベール群の軸方向一方側端部を閉止端部として閉止し、他方側端部を開放端部として、当該開放端部のみが開放された状態で当該ロールベール群を被覆して、当該乾燥シートまたは当該フード部材の通気口から当該ロールベール群の軸方向に通気し、当該ロールベール群の複数のロールベールを一括して乾燥させていることにより、複数のロールベールを寝かせた状態で一括して乾燥させ、ロールベールをより一層効率的に乾燥させることのできるができる安価なロールベール乾燥装置を提供することを目的としている。
【００３１】
【課題を解決するための手段】
請求項１記載の発明のロールベール乾燥装置は、稲藁、麦藁、牧草等をロール状に圧搾して成形したロールベールを所定水分量まで乾燥させるロールベール乾燥装置であって、前記ロールベールの軸方向一方側端部を開放端部として開放した状態で、少なくとも当該ロールベールの周側面全体を、通気性が少なく所定の可とう性を有するシート状の乾燥シートで被覆し、当該ロールベールの開放端部と反対側の端部を当該端部側に通気口の形成されている当該乾燥シートまたは当該乾燥シートと非通気状態で密着され通気口の形成されているフード部材で閉止して閉止端部とし、当該閉止端部側の乾燥シートまたはフード部材に形成されている当該通気口に吸気手段または送気手段を接続して、吸引または送気し、前記乾燥シートまたは前記乾燥シートと前記フード部材で開放端部のみが開放された状態で被覆されている前記ロールベールの軸方向に通気して、当該ロールベールを乾燥させることにより、上記目的を達成している。
【００３２】
上記構成によれば、稲藁、麦藁、牧草等をロール状に圧搾して成形したロールベールの軸方向一方側端部を開放端部として開放した状態で、少なくとも当該ロールベールの周側面全体を、通気性が少なく所定の可とう性を有するシート状の乾燥シートで被覆し、当該ロールベールの開放端部と反対側の端部を当該端部側に通気口の形成されている当該乾燥シートまたは当該乾燥シートと非通気状態で密着され通気口の形成されているフード部材で閉止して閉止端部とし、当該閉止端部側の乾燥シートまたはフード部材に形成されている当該通気口に吸気手段または送気手段を接続して、吸引または送気し、乾燥シートまたは乾燥シートとフード部材で開放端部のみが開放された状態で被覆されているロールベールの軸方向に通気して、当該ロールベールを乾燥させているので、小型・省スペースで、軽量かつ運搬が容易なものとすることができるとともに、ロールベールの軸方向に均一に通気して、ロールベールを安価かつ均一に乾燥させることができる。
【００３３】
請求項２記載の発明のロールベール乾燥装置は、稲藁、麦藁、牧草等をロール状に圧搾して成形したロールベールを所定水分量まで乾燥させるロールベール乾燥装置であって、漏斗形状を上下反転させたキャップ形状を有し当該キャップ形状の頂点部分に通気口が形成されるとともに、その下端部の円形部分の外周面に所定の接着部材が取り付けられ、前記ロールベールの一方側端部を閉止して閉止端部とするフード部材と、シート形状に形成されているとともに、前記ロールベールの周側面を被覆する状態でそのフード部材側端部が当該フード部材に巻き付けられ、当該フード部材の下端部外周面に巻き付けられた状態でその両端部が所定量重なり合う長さと、前記ロールベールの軸方向長さ以上の長さの幅と、を有する乾燥シートと、を備え、当該乾燥シートは、当該巻き付けられた状態で前記フード部材側に位置する端面部分に接着部材が取り付けられていて当該接着部材と前記フード部材の接着部材とが着脱可能に非通気状態で接着され、当該巻き付けられた状態で前記周方向の前記重なり合う両端部が当該両端部の重なり合う面部分に取り付けられている接着部材で、着脱可能に非通気状態で接着されて、前記ロールベールの前記閉止端部と周側面全面を当該フード部材と当該乾燥シートで被覆するとともに、当該フード部材と反対側を開放端部とし、前記フード部材の前記通気口に吸気手段または送気手段を接続して、吸引または送気し、前記乾燥シートと前記フード部材で前記開放端部のみが開放された状態で被覆されている前記ロールベールの軸方向に通気して、当該ロールベールを乾燥させることにより、上記目的を達成している。
【００３４】
上記構成によれば、稲藁、麦藁、牧草等をロール状に圧搾して成形したロールベールの一方側端部を、漏斗形状を上下反転させたキャップ形状を有し当該キャップ形状の頂点部分に通気口が形成されるとともに、その下端部の円形部分の外周面に所定の接着部材が取り付けられたフード部材で閉止して閉止端部とし、当該フード部材の下端部外周面に巻き付けられた状態でその両端部が所定量重なり合う長さと、前記ロールベールの軸方向長さ以上の長さの幅と、を有するシート形状の乾燥シートを、ロールベールの周側面を被覆する状態でそのフード部材側端部を当該フード部材に巻き付け、当該巻き付けられた状態でフード部材側に位置する端面部分に取り付けられている接着部材とフード部材の接着部材とを着脱可能に非通気状態で接着し、当該巻き付けられた状態で周方向の重なり合う両端部を当該両端部の重なり合う面部分に取り付けられている接着部材で、着脱可能に非通気状態で接着して、ロールベールの閉止端部と周側面全面を当該フード部材と当該乾燥シートで被覆するとともに、当該フード部材と反対側を開放端部とし、フード部材の通気口に吸気手段または送気手段を接続して、吸引または送気し、乾燥シートとフード部材で開放端部のみが開放された状態で被覆されているロールベールの軸方向に通気して、当該ロールベールを乾燥させるので、小型・省スペースで、軽量かつ運搬が容易なものとすることができるとともに、ロールベールの軸方向により一層均一に通気して、ロールベールを安価かつより一層均一に乾燥させることができる。
【００３５】
請求項３記載の発明のロールベール乾燥装置は、稲藁、麦藁、牧草等をロール状に圧搾して成形したロールベールを所定水分量まで乾燥させるロールベール乾燥装置であって、漏斗形状を上下反転させたキャップ形状を有し当該キャップ形状の頂点部分に通気口が形成され、前記ロールベールの一方側端部を閉止して閉止端部とするフード部材と、当該フード部材にその一端部が非通気状態で接着固定されその他端部が少なくとも前記ロールベールの他方側端部まで延在して当該ロールベールの外周面を被覆する筒状の乾燥シートと、を備え、当該乾燥シートが、前記フード部材と反対側の端部から所定長さにわたって切り込みが形成されているとともに、当該切り込み部の両端面に当該両端面を着脱可能に接着する接着部材が設けられており、当該接着部材同士を非通気状態で接着して前記ロールベールの外周面を被覆するとともに、前記フード部材と反対側を開放端部とし、当該フード部材の前記通気口に吸気手段または送気手段を接続して、吸引または送気し、前記乾燥シートまたは前記乾燥シートと前記フード部材で開放端部のみが開放された状態で被覆されている前記ロールベールの軸方向に通気して、当該ロールベールを乾燥させることにより、上記目的を達成している。
【００３６】
上記構成によれば、稲藁、麦藁、牧草等をロール状に圧搾して成形したロールベールの一方側端部を、漏斗形状を上下反転させたキャップ形状を有し当該キャップ形状の頂点部分に通気口の形成されているフード部材で閉止して閉止端部とし、当該フード部材に筒状の乾燥シートの一端部を非通気状態で接着固定するとともに、当該乾燥シートの他端部を少なくともロールベールの他方側端部まで延在させ、かつ、当該乾燥シートに、フード部材と反対側の端部から所定長さにわたって切り込みを形成するとともに、当該切り込み部の両端面に当該両端面を着脱可能に接着する接着部材を設け、当該接着部材同士を非通気状態で接着してロールベールの外周面を被覆して、フード部材と反対側を開放端部とし、当該フード部材の通気口に吸気手段または送気手段を接続して、吸引または送気し、乾燥シートまたは乾燥シートとフード部材で開放端部のみが開放された状態で被覆されているロールベールの軸方向に通気して、当該ロールベールを乾燥させるので、フード部材と乾燥シートのロールベールへの装着作業を簡単容易なものとし、かつ、小型・省スペースで、軽量かつ運搬が容易なものとすることができるとともに、ロールベールの軸方向に均一に通気して、ロールベールを安価かつ均一に乾燥させることができる。
【００３７】
請求項４記載の発明のロールベール乾燥装置は、稲藁、麦藁、牧草等をロール状に圧搾して成形したロールベールを所定水分量まで乾燥させるロールベール乾燥装置であって、前記ロールベールの軸方向一方側端部を開放端部として開放した状態で、当該ロールベールの軸方向他方側端部を当該他方側端部との間に隙間形成部材で形成される所定量の隙間を有した状態で閉止して閉止端部とするとともに、当該ロールベールの周側面全体を、通気性が少なく所定の可とう性を有する円筒形状の乾燥シートで被覆し、当該乾燥シートが、当該閉止端部側に通気口を有し、当該通気口に吸気手段または送気手段を接続して、吸引または送気し、前記乾燥シートで開放端部のみが開放された状態で被覆されている前記ロールベールの軸方向に通気して、当該ロールベールを乾燥させることにより、上記目的を達成している。
【００３８】
上記構成によれば、稲藁、麦藁、牧草等をロール状に圧搾して成形したロールベールの軸方向一方側端部を開放端部として開放した状態で、当該ロールベールの軸方向他方側端部を当該他方側端部との間に隙間形成部材で形成される所定量の隙間を有した状態で閉止して閉止端部とするとともに、当該ロールベールの周側面全体を、通気性が少なく所定の可とう性を有する円筒形状の乾燥シートで被覆し、当該乾燥シートの閉止端部側に形成されている通気口に吸気手段または送気手段を接続して、吸引または送気し、乾燥シートで開放端部のみが開放された状態で被覆されているロールベールの軸方向に通気して、当該ロールベールを乾燥させるので、より一層小型・省スペースで、より一層軽量かつ運搬が容易なものとすることができるとともに、ロールベールの軸方向により一層均一に通気して、ロールベールをより一層安価かつより一層均一に乾燥させることができる。
【００３９】
上記各場合において、例えば、請求項５に記載するように、前記ロールベール乾燥装置は、少なくとも前記ロールベールの載置される載置部に複数の通気穴の形成された台座を有し、前記ロールベールを当該台座の載置部上に当該ロールベールの軸方向が鉛直方向となる状態で載置し、前記通気状態で、当該台座の通気口から当該ロールベールに外気を導入または当該ロールベールを通過した空気を排出するものであってもよい。
【００４０】
上記構成によれば、少なくともロールベールの載置される載置部に複数の通気穴の形成された台座を設け、ロールベールを当該台座の載置部上に当該ロールベールの軸方向が鉛直方向となる状態で載置し、通気状態で、当該台座の通気口から当該ロールベールに外気を導入または当該ロールベールを通過した空気を当該台座を通して排出しているので、ロールベールに効率的にかつ容易に通気することができ、ロールベールを安価にかつより一層均一に乾燥させることができる。
【００４１】
また、例えば、請求項６に記載するように、前記ロールベール乾燥装置は、前記フード部材を保持し、前記ロールベールの上部位置と当該上部位置から待避した待避位置とに当該フード部材を移動させるフード部材保持機構を備えているものであってもよい。
【００４２】
上記構成によれば、フード部材を保持して、ロールベールの上部位置と当該上部位置から待避した待避位置とに当該フード部材を移動させるフード部材保持機構を設けているので、ロールベールへのフード部材及び乾燥シートの装着をより一層簡単かつ容易に行うことができ、ロールベールを安価にかつより一層効率的に乾燥させることができる。
【００４３】
さらに、例えば、請求項７に記載するように、前記ロールベール乾燥装置は、前記乾燥シートを前記ロールベールの外周面に対して周方向に締め付ける締結部材を備え、当該締結部材で前記乾燥シートを締め付けた状態で、前記乾燥シートまたは前記乾燥シートと前記フード部材で被覆されている前記ロールベールの軸方向に前記通気口から送気し、当該ロールベールを乾燥させるものであってもよい。
【００４４】
上記構成によれば、締結部材で、乾燥シートをロールベールの外周面の周方向に締め付けて乾燥シートを当該ロールベールに締結させ、乾燥シートまたは乾燥シートとフード部材で被覆されているロールベールの軸方向に通気口から送気し、当該ロールベールを乾燥させているので、通気口から乾燥シートで被覆されているロールベールに送気して乾燥させる場合にも、乾燥シートとロールベールを密着させて、ロールベールの軸方向に均一に通気することができ、ロールベールを安価にかつ均一に乾燥させることができる。
【００４５】
また、例えば、請求項８に記載するように、前記ロールベール乾燥装置は、前記乾燥シートまたは前記乾燥シートと前記フード部材で開放端部のみが開放された状態で被覆されている前記ロールベールを複数個配置し、当該乾燥シートまたは当該フード部材に形成されている前記通気口に１台の前記吸気手段または１台の前記送気手段に接続された接続ホースから分岐された分岐ホースを接続し、複数のロールベールに同時に通気して乾燥させるものであってもよい。
【００４６】
上記構成によれば、乾燥シートまたは乾燥シートとフード部材で開放端部のみが開放された状態で被覆されているロールベールを複数個配置し、当該乾燥シートまたは当該フード部材に形成されている通気口に１台の吸気手段または１台の送気手段に接続された接続ホースから分岐された分岐ホースを接続し、複数のロールベールに同時に通気して乾燥させているので、複数のロールベールを一括して乾燥させることができ、ロールベールを安価にかつより一層効率的に乾燥させることができる。
【００４７】
さらに、例えば、請求項９に記載するように、前記ロールベール乾燥装置は、前記ロールベールがその軸方向が水平方向となる状態で配置され、当該ロールベールを前記乾燥シートまたは前記乾燥シートと前記フード部材で開放端部のみが開放された状態で被覆して、前記乾燥シートまたは前記フード部材の前記通気口から当該ロールベールの軸方向に通気し、当該ロールベールを乾燥させるものであってもよい。
【００４８】
上記構成によれば、ロールベールをその軸方向が水平方向となる状態で配置し、当該ロールベールを乾燥シートまたは乾燥シートとフード部材で開放端部のみが開放された状態で被覆して、乾燥シートまたはフード部材の通気口から当該ロールベールの軸方向に通気し、当該ロールベールを乾燥させているので、ロールベールを寝かせた状態で乾燥させて、小型・省スペースで、軽量かつ運搬が容易なものとすることができるとともに、ロールベールの軸方向に均一に通気して、ロールベールを安価にかつ均一に乾燥させることができる。
【００４９】
また、例えば、請求項１０に記載するように、前記ロールベール乾燥装置は、複数の前記ロールベールがその軸方向が水平方向となる状態でかつ当該軸方向が連続して繋がるロールベール群として配置され、当該ロールベール群を当該ロールベール群の軸方向長さ以上の幅を有する前記乾燥シートまたは当該乾燥シートと前記フード部材で、当該ロールベール群の軸方向一方側端部を閉止端部として閉止し、他方側端部を開放端部として、当該開放端部のみが開放された状態で当該ロールベール群を被覆して、当該乾燥シートまたは当該フード部材の前記通気口から当該ロールベール群の軸方向に通気し、当該ロールベール群の複数のロールベールを一括して乾燥させるものであってもよい。
【００５０】
上記構成によれば、複数のロールベールがその軸方向が水平方向となる状態でかつ当該軸方向が連続して繋がるロールベール群として配置し、当該ロールベール群を当該ロールベール群の軸方向長さ以上の幅を有する乾燥シートまたは当該乾燥シートとフード部材で、当該ロールベール群の軸方向一方側端部を閉止端部として閉止し、他方側端部を開放端部として、当該開放端部のみが開放された状態で当該ロールベール群を被覆して、当該乾燥シートまたは当該フード部材の通気口から当該ロールベール群の軸方向に通気し、当該ロールベール群の複数のロールベールを一括して乾燥させているので、複数のロールベールを寝かせた状態で一括して乾燥させることができ、ロールベールを安価にかつより一層効率的に乾燥させることができる。
【００５１】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００５２】
図１〜図８は、本発明のロールベール乾燥装置の第１の実施の形態を示す図であり、図１は、本発明のロールベール乾燥装置の第１の実施の形態を適用したロールベール乾燥装置１の正面図である。
【００５３】
図１において、ロールベール乾燥装置１は、パレット２、吸引フード３、吸引フード保持機構部４、乾燥シート５を備えるとともに、図２に示す吸気ファン（吸気手段）６、接続ホース７及びバルブ８等を備えている。
【００５４】
パレット（台座）２は、図１及び図３、図４に示すように、板状に形成され、パレット２上には、図５に示すように、乾燥対象のロールベール１０、例えば、稲藁ロールベール、麦藁ロールベール、牧草ロールベール等が載置される。パレット２は、少なくともそのロールベール１０の載置される載置部１１、図３及び図５で、円形状に形成された部分の内部に、多数の通気穴１２が当該載置部１１の全面にわたって形成されており、パレット２の底面には、当該パレット２を設置面から浮かせて、上記通気穴１２を通して空気の流れを確保するための複数のレール状の足部１３が設けられている。
【００５５】
上記ロールベール１０は、例えば、稲藁ロールベールの場合、通常、上述のように、収穫時に、稲が、コンバインで刈り取られて、籾が収穫された後、残った稲藁を、ほ場（田んぼの中）でそのままある程度の量がまとめられて、天日乾燥によって乾燥されて、機械的に反転・撹拌され、最終的に、ロールベールを作る機械で、圧搾、成形、梱包されて、稲藁ロールベールとして作られる。この稲藁ロールベールは、一般的には、その直径が、１．１ｍで、高さが、１．１ｍ〜１．２ｍのロール形状（円柱形状）に成形され、その重さは、２００ｋｇ程度である。
【００５６】
したがって、パレット２は、この乾燥対象のロールベール１０の大きさと重量に対応した大きさと強度を有したものとなっており、その材質は、必要な強度を確保できるものであれば、特に限定されるものではない。
【００５７】
吸引フード（フード部材）３は、その下端部が開口する円形で、上側ほどその周方向の系が小さくなる漏斗を上下反転させたようなキャップ形状に形成されており、そのキャップ形状の頂点部には、内部空間と連通するとともに、所定量外部に突出して接続ホース７の接続される接続端部の形成された通気口２１が形成されている。吸引フード３は、その下端部が所定幅の円筒形状に形成されており、当該円筒形状の下端部の外面には、図５に示すように、後述する乾燥シート５を着脱可能に接着するための所定の接着部材２２が固着されている。また、接着部材２２は、乾燥シート５との接着を空気の流通を遮断する密閉性が高いものほどよいが、着脱可能に乾燥シート５を接着して、密閉性の高いものであれば種々のものを用いることができ、例えば、マジックテープ（登録商標）等を用いることができる。
【００５８】
吸引フード３の上面の頂点から下端部の略中間位置には、周方向に複数の吊り下げ部２３が取り付けられており、後述するように、吊り下げ部２３は、吸引フード３を吸引フード保持機構４で保持するのに使用される。
【００５９】
吸引フード３は、鉄、アルミ、プラスチック等を材料として、その下端部内面側の系の大きさが、乾燥対象のロールベール１０の系と同じか、ロールベール１０の系よりも多少大きく形成されている。すなわち、ロールベール１０の外形が、±２５ｍｍ程度の誤差があるため、吸引フード３は、当該誤差を見越して、若干大きめに作成されている。
【００６０】
吸引フード保持機構（フード部材保持機構）４は、図１及び図３に示すように、パレット２の側面に当該側面から外方に突出して一体成形または固定された固定台３１に、鉛直方向に延在して所定長さを有する固定アーム３２が固定されており、固定アーム３２から鉛直方向に所定長さを有するとともにパレット２上に載置されるロールベール１０の高さ位置よりも所定高さだけ高い位置から折れ曲がってパレット２の中央位置まで延在する支持アーム３３が固定アーム３２に回転可能に支持されている。支持アーム３３の先端部には、その基端部にネジ部を有するフック３４の貫通する貫通孔の形成されたフック保持部３３ａが形成されており、フック保持部３３ａの貫通孔にフック３４の基端部が挿入されてその基端部に高さ調整ネジ３５が螺合されることで、フック３４がフック保持部３３ａに保持されている。フック３４は、高さ調整ネジ３５が回されることで、高さ調整ネジ３５のフック３４に対する螺合位置が変化し、そのフック保持部３３ａへの取付位置が調整されて、その高さ位置が調整される。
【００６１】
フック３４には、ワイヤ３６の一端が着脱可能に係合され、ワイヤ３６の他端部は、吸引フード３の吊り下げ部２３に係合されている。
【００６２】
したがって、吸引フード保持機構４は、吸引フード３をワイヤ３６で吊り下げた状態で、図６に両矢印で示すように、図６の実線で示すパレット２上のセット位置Ｐｓと、図６に破線で示すパレット２上から外れた待避位置Ｐｏと、に移動させ、また、吸引フード３の高さ位置を、高さ調整ネジ３５で調整可能となっている。
【００６３】
乾燥シート５は、通気性が少なく、ある程度柔軟性（後述するように、ロールベール１０の乾燥時に当該ロールベール１０に密着する程度の柔軟性）を有する部材、例えば、防水キャンバスシート部材等で形成され、図７に示すように、その幅Ｈが、少なくともその上端部をロールベール１０の上部に配置された吸引フード３に接着したときにその下端部がロールベール１０の下端位置を完全に被覆して当該ロールベール１０の下端位置よりも多少長い長さを有し、その長さＬが、吸引フード３の接着部材２２の取り付けられ下端部の外周長さと長さ方向両端部を重ね合わせて接着するのに必要な長さを合計した長さを有している。
【００６４】
そして、この乾燥シート５は、幅方向上端部の内面（ロールベール１０に面する側の面）に、吸引フード３の下端部の接着部材２２と着脱可能に接着する接着部材４１が固着または縫い付け等により固定されており、接着部材２２は、吸引フード３の接着部材２２の幅とほぼ同じ幅を有する帯状に形成されている。また、乾燥シート５の長さ方向の一方側の端部内面には、この乾燥シート５の長さ方向両端部を接着するための所定幅の帯状の接着部材４２が、乾燥シート５の幅方向全幅にわたって、固着または縫い付け等により固定されており、乾燥シート５の長さ方向他方側の端部外面には、当該一方側端部の接着部材４２と着脱可能に接着する所定幅の帯状の接着部材４３が、乾燥シート５の幅方向全幅にわたって、固着または縫い付け等により固定されている。
【００６５】
これらの接着部材４１〜４３は、吸引フード３の接着部材２２との密着性及び接着部材４２と接着部材４３との相互の密着性が高く空気の流通を遮断する密閉性の高いものほどよいが、着脱可能に乾燥シート５を接着して、密閉性の高いものであれば種々のものを用いることができ、例えば、マジックテープ（登録商標）等を用いることができる。
【００６６】
吸気ファン６は、図２に示すように、接続ホース７で吸引フード３の通気口２１の接続端部に接続され、上記水分量の水分を含んみ上記大きさのロールベール１０に吸引通気して所定水分量に乾燥させるのに十分な容量を有した吸引式のポンプが用いられている。この吸気ファン６としては、例えば、７ｍ３  ／ｍｉｎ×２６５ｍｍＡｇで、０．６１Ｋｗｈの電力にて５０℃の使用環境で、水分量２５％のロールベール１０を２４時間通気して、水分量１５％に乾燥させるのに十分な容量を有したものを用いる。
【００６７】
接続ホース７は、吸気ファン６と吸引フード３を接続し、フレキシブルホース、ダクト等を用いることができる。
【００６８】
バルブ８は、吸気ファン６と吸引フード３の間の接続ホース７に取り付けられており、流量調整等を行うのに使用される。
【００６９】
次に、本実施の形態の作用を説明する。本実施の形態のロールベール乾燥装置１は、以下に示す実施手順でロールベール１０を乾燥する。
【００７０】
すなわち、ロールベール乾燥装置１で乾燥対象のロールベール１０を乾燥させるためには、吸引フード３がパレット２上に載置するロールベール１０と干渉しないように、吸引フード３を吊り下げている吸引フード保持機構４の支持アーム３３をパレット２上から外れた待避位置Ｐｏ（図６参照）に回転させ、この状態で、ロールベーラー（ロールベール作成機械）で、稲藁、麦藁、牧草等をロール状に圧搾・成形されたロールベール１０を、図  に示すように、パレット２の載置部１１上に載置する。このとき、円柱形状のロールベール１０をその中心軸が鉛直方向となる状態で載置する。
【００７１】
このロールベール１０は、上述のように、一般的には、その直径が、１．１ｍで、高さが、１．１ｍ〜１．２ｍのロール形状（円柱形状）に成形され、その重さは、２００ｋｇ程度である。また、ロールベール１０は、その２５％〜２６％前後またはそれ以上（ときには、３０％以上）の水分量の水分を含んでおり、ロールベール乾燥装置１を使用した乾燥作業では、このロールベール１０の水分量を２０％以下まで乾燥させる。
【００７２】
なお、ロールベール乾燥装置１でのロールベール１０の乾燥作業は、作業屋等の屋内にロールベール乾燥装置１を設置して、当該屋内で行ってもよいが、乾燥対象のロールベール１０が多いときには、ロールベール１０が２００ｋｇ程度と重量物であることから、ロールベール乾燥装置１をロールベール１０を形成したほ場等の屋外に運搬して、当該屋外で行ってもよい。
【００７３】
乾燥対象のロールベール１０をパレット２上に載置すると、図５に示すように、吸引フード保持機構４の支持アーム３３をパレット２上に載置したロールベール１０の上部位置であるセット位置Ｐｓに回転させ、必要に応じて、高さ調整ネジ３５で吸引フード３の高さ調整を行って、吸引フード３の円筒状の下端部がロールベール１０の上端の外周面を覆う位置に吸引フード３の位置調整を行う。
【００７４】
次に、図１及び図２に示したように、乾燥シート５でロールベール１０の外周面を被覆する。このとき、まず、乾燥シート５の上端部の接着部材４１の設けられている面をロールベール１０側にして、当該接着部材４１を吸引フード３の下端部の接着部材２２と接着させながら、乾燥シート５をロールベール１０の外周面に巻き付ける。乾燥シート５をロールベール１０の外周面に巻き付けると、乾燥シート５の長さ方向両端部に取り付けられている接着部材４２と接着部材４３を接着させ、ロールベール１０を空気の漏れがないように乾燥シート５で被覆する。
【００７５】
次に、図２に示すように、接続ホース７を吸引フード３の通気口２１の接続端部と吸気ファン６を、バルブ８を介して接続し、乾燥準備作業が完了する。なお、接続ホース７の接続は、吸引フード３をロールベール１０上に移動させる前に、行ってもよい。
【００７６】
このようにして、乾燥準備作業が完了すると、吸気ファン６を作動させて、バルブ８及び接続ホース７を通して空気の吸引を開始し、必要に応じて、バルブ８で流量調整を行う。
【００７７】
吸気ファン６による空気の吸引を開始すると、図８に示すように、パレット２の足部１３で確保されているパレット２と設置面との隙間からパレット２の通気穴１２を通して空気が乾燥シート５で被覆されているロールベール１０をロールベール１０の軸方向に均一に通過して、吸引フード３方向に流れ、吸引フード３の通気口２１から接続ホース７及びバルブ８を通して吸気ファン６に流れる。
【００７８】
このとき、乾燥シート５は、通気性がごく少なく、可とう性のある材質で形成されているため、吸気ファン６によるマイナス圧により、図８に示すように、ロールベール１０に密着し、空気の漏れをより一層抑制して、一種の乾燥チャンバー状態となる。
【００７９】
そして、このロールベール１０を通過する空気は、ロールベール１０の水分量よりも少ないため、ロールベール１０が吸気ファン６で吸引される空気の流れによって、乾燥され、目的とする水分量になるまで、上記吸気ファン６による吸引を行う。
【００８０】
ロールベール１０の乾燥が完了すると、吸気ファン６を停止させて、乾燥シート５を取り外し、吸引フード保持機構４の支持アーム３３をセット位置から待避位置に回転移動させて、吸引フード３をロールベール１０上から移動する。乾燥したロールベール１０をパレット２上から移動して、次のロールベール１０をパレット２上に載置することで、同様に次のロールベール１０を乾燥させることができる。
【００８１】
このように、本実施の形態のロールベール乾燥装置１は、稲藁、麦藁、牧草等をロール状に圧搾して成形したロールベール１０の軸方向一方側端部を開放端部として開放した状態で、少なくとも当該ロールベール１０の周側面全体を、通気性が少なく所定の可とう性を有するシート状の乾燥シート５で被覆し、ロールベール１０の開放端部と反対側の端部を当該端部側に通気口２１の形成されている吸引フード３で閉止して閉止端部とし、当該閉止端部側の吸引フード３に形成されている通気口２１に吸気ポンプ６を接続して吸引し、乾燥シート５と吸引フード３で開放端部のみが開放された状態で被覆されているロールベール１０の軸方向に通気して、ロールベール１０を乾燥させている。
【００８２】
したがって、ロールベール乾燥装置１を小型・省スペースで、軽量かつ運搬が容易なものとすることができるとともに、ロールベール１０の軸方向に均一に通気して、ロールベール１０を安価かつ均一に乾燥させることができる。
【００８３】
また、上記実施の形態のロールベール乾燥装置１においては、少なくともロールベール１０の載置される載置部１１に複数の通気穴１２の形成されたパレット２を設け、ロールベール１０を当該パレット２の載置部１１上にロールベール１０の軸方向が鉛直方向となる状態で載置し、通気状態で、パレット２の通気穴１２からロールベール１０に外気を導入している。
【００８４】
したがって、ロールベール１０に効率的にかつ容易に通気することができ、ロールベール１０を安価にかつより一層均一に乾燥させることができる。
【００８５】
さらに、本実施の形態のロールベール乾燥装置１は、吸引フード３を保持して、ロールベール１０の上部位置であるセット位置Ｐｓと当該セット位置Ｐｓから待避した待避位置Ｐｏとに吸引フード３を移動させる吸引フード保持機構部４を設けている。
【００８６】
したがって、ロールベール１０への吸引フード３及び乾燥シート５の装着をより一層簡単かつ容易に行うことができ、ロールベール１０を安価にかつより一層効率的に乾燥させることができる。
【００８７】
なお、上記実施の形態においては、パレット２に通気穴１２を設けているだけであるが、この通気穴１２部分に、当該通気穴１２を通過する空気を除湿する除湿機構を設けたり、当該通過する空気を加熱する加熱機構を設けてもよい。
【００８８】
このようにすると、ロールベール１０をより一層短時間での乾燥させることができる。
【００８９】
図９及び図１０は、本発明のロールベール乾燥装置の第２の実施の形態を示す図であり、本実施の形態は、ロールベールに送気ファンから空気を送気して乾燥するものである。
【００９０】
なお、本実施の形態は、上記第１の実施の形態のロールベール乾燥装置１と同様のロールベール乾燥装置に適用したものであり、本実施の形態の説明においては、上記第１の実施の形態のロールベール乾燥装置１と同様の構成部分には、同一の符号を付して、その詳細な説明を省略する。
【００９１】
図９は、本発明のロールベール乾燥装置の第２の実施の形態を適用したロールベール乾燥装置５０の全体構成図である。
【００９２】
図９において、ロールベール乾燥装置５０は、上記第１の実施の形態のロールベール乾燥装置１と同様のパレット２、吸引フード３、吸引フード保持機構４、接続ホース７及びバルブ８等を備えているとともに、乾燥シート５１及び送気ファン５２を備えている。
【００９３】
乾燥シート５１は、図１０に示すように、上記第１の実施の形態の乾燥シート５と同様の形状と大きさに形成され、第１の実施の形態の乾燥シート５と同様に、接着部材４１〜４３が取り付けられているとともに、その長さ方向に複数本のバンド５３が張り渡された状態で取り付けられている。バンド５３の一方側の先端部には、バックル５４が取り付けられており、バンド５３の他方側の先端には、バックル５４の留め具５４ａの挿入される止め穴５５が複数形成されている。これらのバンド５３、バックル５４、留め具５４ａ及び止め穴５５は、全体として、締結部材として機能している。
【００９４】
送気ファン５２は、接続ホース７で吸引フード３の通気口２１に接続され、空気（外気）をバルブ８及び接続ホース７を通して吸引フード３に送気する。
【００９５】
本実施の形態のロールベール乾燥装置５０を用いてロールベール１０を乾燥させる場合には、図９に示すように、ロールベール１０をパレット２上に載置して、吸引フード保持機構４で吸引フード３をロールベール１０上にセットした後、乾燥シート５１を吸引フード３に接着固定してその両端部を接着部材４２、４３で接着固定する。さらに、ロールベール１０の周方向にまかれた状態となっているバンド５３の他方側の先端部を一方側のバックル５４に通して乾燥シート５１をロールベール１０に締め付けた状態として、バックル５４の留め具５４ａを止め穴５５に挿入して、固定する。この作業を複数のバンド５３のそれぞれについて行う。
【００９６】
この状態で、送気ファン５２を駆動させて、送気ファン５２から空気を接続ホース７及びバルブ８を通して吸引フード３に送気し、必要に応じてバルブ８で流量調節を行う。
【００９７】
吸引フード３に送気された空気は、乾燥シート５１で密閉状態となっているロールベール１０の内部を通過して、パレット２の通気穴１２から外部に排出され、この送気される空気でロールベール１０が乾燥する。
【００９８】
このとき、乾燥シート５１は、送気される空気のプラス圧力を受けて、外方向に膨れようとするが、乾燥シート５１には、バンド５３が取り付けられており、乾燥シート５１の膨らみを抑制して、一種の乾燥チャンバー状態としている。
【００９９】
したがって、乾燥シート５１が膨らんで、乾燥シート５１の接着部材４２と接着部材４３及び乾燥シート５１の接着部材４１と吸引フード３の接着部材２２が剥がれて空気が漏れることを適切に防止することができる。
【０１００】
このように、本実施の形態のロールベール乾燥装置５０は、バンド５３、バックル５４、留め具５４ａ及び止め穴５５からなる締結部材を乾燥シート５１に取り付け、乾燥シート５１をロールベール１０の外周面の周方向に締め付けて乾燥シート５１をロールベール１０に締結させ、乾燥シート５１で被覆されているロールベール１０の軸方向に通気口２１から送気し、ロールベール１０を乾燥させている。
【０１０１】
したがって、通気口２１から乾燥シート５１で被覆されているロールベール１０に送気して乾燥させる場合にも、乾燥シート５１とロールベール１０を密着させて、ロールベール１０の軸方向に均一に通気することができ、ロールベール１０を安価にかつ均一に乾燥させることができる。
【０１０２】
なお、本実施の形態においては、送気ファン５２から外気をそのままロールベール１０に送気しているが、図１１に示すように、送気ファン５２の吸気側に除湿器５６を接続ホース５７で接続して、除湿した空気を接続ホース７及びバルブ８を通して乾燥シート５１で被覆されたロールベール１０に送気するようにしてもよい。
【０１０３】
このようにすると、ロールベール１０を除湿空気でより一層効率的に乾燥させることができ、速やかにロールベール１０を乾燥させることができる。
【０１０４】
また、送気ファン５２の吸気側に、図１２に示すように、電熱器、オイルバーナー等の加熱器５８を接続ホース５７で接続して、加熱した空気を接続ホース７及びバルブ８を通して乾燥シート５１で被覆されたロールベール１０に送気するようにしてもよい。
【０１０５】
このようにすると、ロールベール１０を加熱空気でより一層効率的に乾燥させることができ、速やかにロールベール１０を乾燥させることができる。
【０１０６】
なお、上記各実施の形態のおいては、ロールベール１０を１個ずつ乾燥させる場合について説明したが、ロールベール１０を１個ずつ乾燥させるものに限るものではなく、複数のロールベール１０をまとめて乾燥してもよい。
【０１０７】
すなわち、例えば、図１３に示すように、パレット２、吸引フード３、吸引フード保持機構部４及び乾燥シート５で構成される乾燥チャンバーユニット６０を複数個並べ、これらの複数の乾燥チャンバーユニット６０を、１つの吸気ファン６１に接続されている接続ホース６２から分岐した分岐ホース６３でそれぞれ接続する。全ての乾燥チャンバーユニット６０にセットしたロールベール１０を同時に１つの吸気ファン６１で乾燥させる。この場合、各乾燥チャンバーユニット６０の吸引フード３への分岐ホース６２にそれぞれバルブ６４を設けて、各乾燥チャンバーユニット６０への通気流量を調整できるようにする。
【０１０８】
このようにすると、短時間で多くのロールベール１０を乾燥させることができる。
【０１０９】
また、複数のロールベール１０を乾燥させる場合にも、吸気ファン６１で吸引する場合に限るものではなく、送気ファンを使用して、各乾燥チャンバーユニット６０に空気を送気してロールベール１０を乾燥させてもよい。
【０１１０】
さらに、上記各実施の形態においては、パレット２上にロールベール１０を中心軸を鉛直方向にしてセットして乾燥させているが、パレット２を用いることなく、乾燥を行ってもよい。
【０１１１】
この場合、吸引方式では、例えば、図１４に示すように、ロールベール１０をその中心軸が横方向（水平方向）となるように載置した状態で、吸引フード３をロールベール１０の中心軸方向の一方側の端部に取り付け、この吸引フード３の接着部材２２に接着させつつ、乾燥シート５を巻き付ける。吸引フード３の通気口２１の接続端部に、一端が吸気ファン６に接続されている接続ホース７の他端を接続し、吸引フード３の取付側と反対側のロールベール１０は大気に開放した状態とする。この状態で、吸気ファン６を駆動させることで、ロールベール１０を乾燥させることができる。
【０１１２】
また、ロールベール１０を横にした状態での乾燥においても、図１５に示すように、複数のロールベール１０をその中心軸が一致するように並べ、当該並べた複数のロールベール１０の中心軸方向の一方側の端部に吸引フード３を取り付ける。そして、当該並べた複数のロールベール１０の周側面の全てを被覆するように乾燥シート７１を巻き付け、吸引フード３の通気口２１の接続端部に、一端が吸気ファン７２に接続されている接続ホース７の他端を接続し、吸引フード３の取付側と反対側のロールベール１０は大気に開放した状態とする。この状態で、吸気ファン７２を駆動させることで、複数のロールベール１０を同時に乾燥させることができる。
【０１１３】
さらに、上記各実施の形態においては、乾燥シート５、５１、７１と吸引フード３は、着脱可能に接着しているが、予め接着固定されていてもよい。この場合、５、５１、７１を、上記各実施の形態のように、吸引フード３の下端部の円筒形状部に接着固定してもよいし、吸引フード３の上端面全てを覆う状態で乾燥シート５、５１、７１を形成して、通気口２１部分と吊り下げ部２３のみを乾燥シート５、５１、７１に穴を形成して突出させ、吸引フード３の上端面全面に接着固定してもよい。
【０１１４】
このようにすると、吸引フード３と乾燥シート５、５１、７１との接着の手間を省くことができる。
【０１１５】
また、上記各実施の形態においては、吸引フード３に乾燥シート５、５１、７１を接着しているが、吸引フード３を用いずに、乾燥シート５、５１、７１を一方側が開放され、他方側が閉止された円筒形状に形成し、当該閉止側端面に接続ホース７を接続する吸引ノズルのみを接着固定してもよい。また、この場合、開放側端部から閉止側端部方向に所定量の切り込みを入れ、当該切り込み端面の内面と外面に上述の接着部材４２、４３等の接着部材を接着固定して、ロールベール１０への乾燥シート５、５１、７１の装着が完了した段階で、当該接着部材を接着させることで、密閉性を確保する。さらに、ロールベール１０の閉止側端面と円筒形状の乾燥シート５、５１、７１の閉止側端部との間に所定量の隙間を形成する隙間形成部材を介在させる。
【０１１６】
このようにすると、より一層部品点数を減らすことができ、ロールベール乾燥装置をより一層安価で軽量なものとすることができる。
【０１１７】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１１８】
【発明の効果】
請求項１記載の発明のロールベール乾燥装置によれば、稲藁、麦藁、牧草等をロール状に圧搾して成形したロールベールの軸方向一方側端部を開放端部として開放した状態で、少なくとも当該ロールベールの周側面全体を、通気性が少なく所定の可とう性を有するシート状の乾燥シートで被覆し、当該ロールベールの開放端部と反対側の端部を当該端部側に通気口の形成されている当該乾燥シートまたは当該乾燥シートと非通気状態で密着され通気口の形成されているフード部材で閉止して閉止端部とし、当該閉止端部側の乾燥シートまたはフード部材に形成されている当該通気口に吸気手段または送気手段を接続して、吸引または送気し、乾燥シートまたは乾燥シートとフード部材で開放端部のみが開放された状態で被覆されているロールベールの軸方向に通気して、当該ロールベールを乾燥させているので、小型・省スペースで、軽量かつ運搬が容易なものとすることができるとともに、ロールベールの軸方向に均一に通気して、ロールベールを安価かつ均一に乾燥させることができる。
【０１１９】
請求項２記載の発明のロールベール乾燥装置によれば、稲藁、麦藁、牧草等をロール状に圧搾して成形したロールベールの一方側端部を、漏斗形状を上下反転させたキャップ形状を有し当該キャップ形状の頂点部分に通気口が形成されるとともに、その下端部の円形部分の外周面に所定の接着部材が取り付けられたフード部材で閉止して閉止端部とし、当該フード部材の下端部外周面に巻き付けられた状態でその両端部が所定量重なり合う長さと、前記ロールベールの軸方向長さ以上の長さの幅と、を有するシート形状の乾燥シートを、ロールベールの周側面を被覆する状態でそのフード部材側端部を当該フード部材に巻き付け、当該巻き付けられた状態でフード部材側に位置する端面部分に取り付けられている接着部材とフード部材の接着部材とを着脱可能に非通気状態で接着し、当該巻き付けられた状態で周方向の重なり合う両端部を当該両端部の重なり合う面部分に取り付けられている接着部材で、着脱可能に非通気状態で接着して、ロールベールの閉止端部と周側面全面を当該フード部材と当該乾燥シートで被覆するとともに、当該フード部材と反対側を開放端部とし、フード部材の通気口に吸気手段または送気手段を接続して、吸引または送気し、乾燥シートとフード部材で開放端部のみが開放された状態で被覆されているロールベールの軸方向に通気して、当該ロールベールを乾燥させるので、小型・省スペースで、軽量かつ運搬が容易なものとすることができるとともに、ロールベールの軸方向により一層均一に通気して、ロールベールを安価かつより一層均一に乾燥させることができる。
【０１２０】
請求項３記載の発明のロールベール乾燥装置によれば、稲藁、麦藁、牧草等をロール状に圧搾して成形したロールベールの一方側端部を、漏斗形状を上下反転させたキャップ形状を有し当該キャップ形状の頂点部分に通気口の形成されているフード部材で閉止して閉止端部とし、当該フード部材に筒状の乾燥シートの一端部を非通気状態で接着固定するとともに、当該乾燥シートの他端部を少なくともロールベールの他方側端部まで延在させ、かつ、当該乾燥シートに、フード部材と反対側の端部から所定長さにわたって切り込みを形成するとともに、当該切り込み部の両端面に当該両端面を着脱可能に接着する接着部材を設け、当該接着部材同士を非通気状態で接着してロールベールの外周面を被覆して、フード部材と反対側を開放端部とし、当該フード部材の通気口に吸気手段または送気手段を接続して、吸引または送気し、乾燥シートまたは乾燥シートとフード部材で開放端部のみが開放された状態で被覆されているロールベールの軸方向に通気して、当該ロールベールを乾燥させるので、フード部材と乾燥シートのロールベールへの装着作業を簡単容易なものとし、かつ、小型・省スペースで、軽量かつ運搬が容易なものとすることができるとともに、ロールベールの軸方向に均一に通気して、ロールベールを安価かつ均一に乾燥させることができる。
【０１２１】
請求項４記載の発明のロールベール乾燥装置によれば、稲藁、麦藁、牧草等をロール状に圧搾して成形したロールベールの軸方向一方側端部を開放端部として開放した状態で、当該ロールベールの軸方向他方側端部を当該他方側端部との間に隙間形成部材で形成される所定量の隙間を有した状態で閉止して閉止端部とするとともに、当該ロールベールの周側面全体を、通気性が少なく所定の可とう性を有する円筒形状の乾燥シートで被覆し、当該乾燥シートの閉止端部側に形成されている通気口に吸気手段または送気手段を接続して、吸引または送気し、乾燥シートで開放端部のみが開放された状態で被覆されているロールベールの軸方向に通気して、当該ロールベールを乾燥させるので、より一層小型・省スペースで、より一層軽量かつ運搬が容易なものとすることができるとともに、ロールベールの軸方向により一層均一に通気して、ロールベールをより一層安価かつより一層均一に乾燥させることができる。
【０１２２】
請求項５記載の発明のロールベール乾燥装置によれば、少なくともロールベールの載置される載置部に複数の通気穴の形成された台座を設け、ロールベールを当該台座の載置部上に当該ロールベールの軸方向が鉛直方向となる状態で載置し、通気状態で、当該台座の通気口から当該ロールベールに外気を導入または当該ロールベールを通過した空気を当該台座を通して排出しているので、ロールベールに効率的にかつ容易に通気することができ、ロールベールを安価にかつより一層均一に乾燥させることができる。
【０１２３】
請求項６記載の発明のロールベール乾燥装置によれば、フード部材を保持して、ロールベールの上部位置と当該上部位置から待避した待避位置とに当該フード部材を移動させるフード部材保持機構を設けているので、ロールベールへのフード部材及び乾燥シートの装着をより一層簡単かつ容易に行うことができ、ロールベールを安価にかつより一層効率的に乾燥させることができる。
【０１２４】
請求項７記載の発明のロールベール乾燥装置によれば、締結部材で、乾燥シートをロールベールの外周面の周方向に締め付けて乾燥シートを当該ロールベールに締結させ、乾燥シートまたは乾燥シートとフード部材で被覆されているロールベールの軸方向に通気口から送気し、当該ロールベールを乾燥させているので、通気口から乾燥シートで被覆されているロールベールに送気して乾燥させる場合にも、乾燥シートとロールベールを密着させて、ロールベールの軸方向に均一に通気することができ、ロールベールを安価にかつ均一に乾燥させることができる。
【０１２５】
請求項８記載の発明のロールベール乾燥装置によれば、乾燥シートまたは乾燥シートとフード部材で開放端部のみが開放された状態で被覆されているロールベールを複数個配置し、当該乾燥シートまたは当該フード部材に形成されている通気口に１台の吸気手段または１台の送気手段に接続された接続ホースから分岐された分岐ホースを接続し、複数のロールベールに同時に通気して乾燥させているので、複数のロールベールを一括して乾燥させることができ、ロールベールを安価にかつより一層効率的に乾燥させることができる。
【０１２６】
請求項９記載の発明のロールベール乾燥装置によれば、ロールベールをその軸方向が水平方向となる状態で配置し、当該ロールベールを乾燥シートまたは乾燥シートとフード部材で開放端部のみが開放された状態で被覆して、乾燥シートまたはフード部材の通気口から当該ロールベールの軸方向に通気し、当該ロールベールを乾燥させているので、ロールベールを寝かせた状態で乾燥させて、小型・省スペースで、軽量かつ運搬が容易なものとすることができるとともに、ロールベールの軸方向に均一に通気して、ロールベールを安価にかつ均一に乾燥させることができる。
【０１２７】
請求項１０記載の発明のロールベール乾燥装置によれば、複数のロールベールがその軸方向が水平方向となる状態でかつ当該軸方向が連続して繋がるロールベール群として配置し、当該ロールベール群を当該ロールベール群の軸方向長さ以上の幅を有する乾燥シートまたは当該乾燥シートとフード部材で、当該ロールベール群の軸方向一方側端部を閉止端部として閉止し、他方側端部を開放端部として、当該開放端部のみが開放された状態で当該ロールベール群を被覆して、当該乾燥シートまたは当該フード部材の通気口から当該ロールベール群の軸方向に通気し、当該ロールベール群の複数のロールベールを一括して乾燥させているので、複数のロールベールを寝かせた状態で一括して乾燥させることができ、ロールベールを安価にかつより一層効率的に乾燥させることができる。
【図面の簡単な説明】
【図１】本発明のロールベール乾燥装置の第１の実施の形態を適用した吸気方式のロールベール乾燥装置の要部正面図。
【図２】図１のロールベール乾燥装置の要部斜視図。
【図３】図１のロールベール乾燥装置のパレットの平面図。
【図４】図３のパレットの正面図。
【図５】図１のロールベール乾燥装置の要部分解斜視図。
【図６】図１のロールベール乾燥装置の吸引フード保持機構部の移動状態説明図。
【図７】図１のロールベール乾燥装置の乾燥シートの平面図。
【図８】図１のロールベール乾燥装置でロールベールを乾燥している状態の要部正面断面図。
【図９】本発明のロールベール乾燥装置の第２の実施の形態を適用した送気方式のロールベール乾燥装置の要部正面図。
【図１０】図９のロールベール乾燥装置の乾燥シートの平面図。
【図１１】図９の送気方式のロールベール乾燥装置の送気ファンの吸引側に除湿器を取り付けた状態の要部所面図。
【図１２】図９の送気方式のロールベール乾燥装置の送気ファンの吸引側に加熱器を取り付けた状態の要部所面図。
【図１３】吸気方式で複数のロールベールを一括して乾燥させるロールベール乾燥装置の概略構成図。
【図１４】吸気方式でロールベールをその中心軸を横にして乾燥させるロールベール乾燥装置の要部斜視図。
【図１５】吸気方式で複数のロールベールをその中心軸を横にして一括して乾燥させるロールベール乾燥装置の要部斜視図。
【符号の説明】
１  ロールベール乾燥装置
２  パレット
３  吸引フード
４  吸引フード保持機構部
５  乾燥シート
６  吸気ファン
７  接続ホース
８  バルブ
１０  ロールベール
１１  載置部
１２  通気穴
１３  足部
２１  通気口
２２  接着部材
２３  吊り下げ部
３１  固定台
３２  固定アーム
３３  支持アーム
３３ａ  フック保持部
３４  フック
３５  高さ調整ネジ
３６  ワイヤ
４１、４２、４３  接着部材
５０  ロールベール乾燥装置
５１  乾燥シート
５２  送気ファン
５３  バンド
５４  バックル
５４ａ  留め具
５５  止め穴
５６  除湿器
５７  接続ホース
５８  加熱器
６０  乾燥チャンバーユニット
６１  吸気ファン
６２  分岐ホース
７１  乾燥シート
７２  吸気ファン
【図１】
2004169993.tif 000003
【図２】
2004169993.tif 000004
【図３】
2004169993.tif 000005
【図４】
2004169993.tif 000006
【図５】
2004169993.tif 000007
【図６】
2004169993.tif 000008
【図７】
2004169993.tif 000009
【図８】
2004169993.tif 000010
【図９】
2004169993.tif 000011
【図１０】
2004169993.tif 000012
【図１１】
2004169993.tif 000013
【図１２】
2004169993.tif 000014
【図１３】
2004169993.tif 000015
【図１４】
2004169993.tif 000016
【図１５】
2004169993.tif 000017